(57)【要約】【課題】確実に保護機能を発揮しつつ、瞬時停電等の異常状態でも起動することができる点灯装置を提供する。【解決手段】実施形態に係る点灯装置は、入力電圧を照明負荷に供給する出力電圧に変換する電力変換部と、前記電力変換部を制御する制御部と、前記出力電圧が第１しきい値を超えるまで低電圧信号を生成し、前記出力電圧が前記第１しきい値よりも高い電圧値を有する第２しきい値を超えたときに過電圧信号を生成し、前記低電圧信号および前記過電圧信号のうち少なくとも一方を入力して前記制御部を停止させる停止信号を生成するとともに、起動後に前記低電圧信号および前記過電圧信号を同じ第１期間だけ検出しない安全回路と、を具備する。【選択図】図１
2018055854.tif 000002
【特許請求の範囲】
【請求項１】
入力電圧を照明負荷に供給する出力電圧に変換する電力変換部と、
前記電力変換部を制御する制御部と、
前記出力電圧が第１しきい値を超えるまで低電圧信号を生成し、前記出力電圧が前記第１しきい値よりも高い電圧値を有する第２しきい値を超えたときに過電圧信号を生成し、前記低電圧信号および前記過電圧信号のうち少なくとも一方を入力して前記制御部を停止させる停止信号を生成するとともに、起動後に前記低電圧信号および前記過電圧信号を同じ第１期間だけ検出しない安全回路と、
を具備した点灯装置。
【請求項２】
前記制御部は、前記第１期間と同一の長さの第２期間を有し、前記第２期間では、前記停止信号の入力がされても、動作を継続する請求項１記載の点灯装置。
【請求項３】
前記制御部は、前記入力電圧が低下して、第３しきい値を下回ったときに、前記安全回路に低入力電圧検出信号を送出し、
前記安全回路は、前記低入力電圧検出信号にもとづいて前記停止信号を出力する請求項２記載の点灯装置。
【請求項４】
前記電力変換部は、スイッチング素子によって駆動されるスイッチング電源回路を含み、
前記制御部は、前記停止信号が供給されたときには、前記スイッチング素子を駆動する発振回路の動作を停止する請求項１〜３のいずれか１つに記載の点灯装置。
【発明の詳細な説明】
【技術分野】
【０００１】
本発明の実施形態は、点灯装置に関する。
【背景技術】
【０００２】
ＬＥＤ照明器具を含む各種照明器具を点灯させる点灯装置には、安全のためさまざまな保護機能が内蔵されている。それぞれの保護機能は、不具合の発生時には、確実に点灯装置を保護するように動作する必要がある。
【０００３】
一方で点灯装置は、さまざまな使用状況において用いられ、点灯装置の起動時や瞬時停電等の状況においても、確実に点灯し、不具合のある場合には、すみやかに保護動作に移行する必要がある。
【先行技術文献】
【特許文献】
【０００４】
【特許文献１】特開２０１４−２３５９６６号公報
【発明の概要】
【発明が解決しようとする課題】
【０００５】
実施形態は、確実に保護機能を発揮しつつ、瞬時停電等の異常状態でも起動することができる点灯装置を提供する。
【課題を解決するための手段】
【０００６】
実施形態に係る点灯装置は、入力電圧を照明負荷に供給する出力電圧に変換する電力変換部と、前記電力変換部を制御する制御部と、前記出力電圧が第１しきい値を超えるまで低電圧信号を生成し、前記出力電圧が前記第１しきい値よりも高い電圧値を有する第２しきい値を超えたときに過電圧信号を生成し、前記低電圧信号および前記過電圧信号のうち少なくとも一方を入力して前記制御部を停止させる停止信号を生成するとともに、起動後に前記低電圧信号および前記過電圧信号を同じ第１期間だけ検出しない安全回路と、を具備する。
【発明の効果】
【０００７】
本実施形態では、点灯装置の安全回路は、起動後に低電圧信号および前記過電圧信号を検出しない期間として同じ第１期間を有するので、点灯装置は停止せず、安定して起動することができる。
【図面の簡単な説明】
【０００８】
【図１】実施形態に係る点灯装置を例示するブロック図である。
【図２】実施形態の点灯装置の保護機能の動作を説明するためのタイミングチャートの例である。
【図３】実施形態の点灯装置の保護機能の動作を説明するためのタイミングチャートの例である。
【図４】実施形態の点灯装置の保護機能の動作を説明するためのタイミングチャートの例である。
【発明を実施するための形態】
【０００９】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１０】
図１は、実施形態に係る点灯装置を例示するブロック図である。
図１に示すように、本実施形態の点灯装置１０は、電力変換部２０と、制御部３０と、安全回路４０と、を備える。点灯装置１０は、交流端子１１ａ，１１ｂと、出力端子１１ｃ，１１ｄと、を含む。点灯装置１０は、交流端子１１ａ，１１ｂを介して、交流電源１に接続される。交流電源１は、たとえば商用電源である。点灯装置１０は、出力端子１１ｃ，１１ｄを介して、照明ユニット２に接続される。照明ユニット２は、発光素子２ａを含む。発光素子２ａは、複数個直列に接続されていてもよい。照明ユニット２は、接続端子３ａ，３ｂを有しており、接続端子３ａ，３ｂは、点灯装置１０の出力端子１１ｃ，１１ｄとそれぞれ接続される。
【００１１】
点灯装置１０は、調光信号端子１１ｅを含む。点灯装置１０は、調光信号端子１１ｅを介して調光信号が入力される。入力される調光信号は、たとえばＤＡＬＩ（Digital Addressable Lighting Interface）等の照明制御信号である。
【００１２】
点灯装置１０は、交流電源１から交流電力の供給を受けて、調光信号によって設定された明るさで照明ユニット２を点灯させる。
【００１３】
点灯装置１０は、後述する電流検出器１２２の抵抗値を可変することによって照明ユニット２に供給する電流を設定することができる。つまり、点灯装置１０は、点灯装置１０の出力電力容量の範囲内で、異なる電力容量の照明ユニットを接続して点灯することができる。
【００１４】
電力変換部２０は、突入電流防止回路２２と、整流平滑回路２４と、ＤＣ−ＤＣコンバータ２６と、を含む。
【００１５】
突入電流防止回路２２は、交流端子１１ａと整流平滑回路２４との間に接続されている。突入電流防止回路２２は、電源投入時に、後段の整流平滑回路に流入する突入電流を抑制する。
【００１６】
整流平滑回路２４は、突入電流防止回路２２とＤＣ−ＤＣコンバータ２６との間に接続されている。整流平滑回路２４は、整流回路および平滑回路を含んでおり、平滑回路は、アクティブ平滑フィルタであってもよい。整流平滑回路２４は、交流電圧を整流し、平滑して直流電圧に変換して出力する。
【００１７】
ＤＣ−ＤＣコンバータ２６は、整流平滑回路２４と、出力端子１１ｃ，１１ｄとの間に接続されている。ＤＣ−ＤＣコンバータ２６は、整流平滑回路２４から出力される脈流を含む直流電圧を一定の電圧または一定の電流に変換して負荷に供給する。ＤＣ−ＤＣコンバータ２６は、調光信号に応じた電力を設定して負荷に供給し、たとえば負荷である照明ユニット２の明るさを制御する。
【００１８】
ＤＣ−ＤＣコンバータ２６は、図示しないが、たとえばチョッパ方式のスイッチング電源回路を含む。スイッチング電源回路は、たとえば降圧型のチョッパである。スイッチング電源回路の形式は、降圧型に限らず、昇圧型、昇降圧型等であってもよい。スイッチング電源回路の形式は、入出力の電圧や出力電力等によって任意に設定することができる。
【００１９】
ＤＣ−ＤＣコンバータ２６は、電圧検出器１２１と、電流検出器１２２と、を含む。電圧検出器１２１は、出力端子１１ｃ，１１ｄ間に接続されている。電圧検出器１２１は、たとえば抵抗分圧回路である。電圧検出器１２１は、直列に接続された抵抗器１２１ａ，１２１ｂを含む。電圧検出器１２１の出力電圧は、抵抗器１２１ａ，１２１ｂの接続ノードから出力される。つまり、電圧検出器１２１は、点灯装置１０の出力電圧を検出して、出力電圧に比例する電圧を検出電圧Ｖｄｅｔとして出力する。検出電圧Ｖｄｅｔは、安全回路４０に入力される。
【００２０】
電流検出器１２２は、ＤＣ−ＤＣコンバータ２６の出力線に直列に接続されている。電流検出器１２２は、たとえば抵抗器である。電流検出器１２２の一端はＤＣ−ＤＣコンバータ２６の内部で接地されている。電流検出器１２２の他端は、出力端子１１ｄに接続されている。
【００２１】
電流検出器１２２は、ＤＣ−ＤＣコンバータ２６の出力線に流れる電流を検出して、電圧値に変換して出力する。出力に照明ユニット２が接続された場合には、電流検出器１２２は、照明ユニット２に流れる電流を検出して電圧値の次元を有する検出電流Ｉｄｅｔとして出力する。検出電流Ｉｄｅｔは、制御部３０に入力される。
【００２２】
制御部３０は、調光制御回路１３１と、ＰＷＭ回路１３２と、電流制御アンプ１３３と、基準電源１３４と、低入力電圧検出回路１３５と、を含む。
【００２３】
調光制御回路１３１には、調光信号端子１１ｅを介して調光信号が入力される。調光制御回路１３１は、入力した調光信号をたとえば調光ＰＷＭ信号に変換して出力する。
【００２４】
ＰＷＭ回路１３２は、調光制御回路１３１および電流制御アンプ１３３のそれぞれの出力に接続されている。ＰＷＭ回路１３２の出力は、電力変換部２０に供給される。電力変換部２０が力率改善回路を含んでいる場合には、ＰＷＭ回路１３２の出力は、力率改善回路およびＤＣ−ＤＣコンバータ２６のそれぞれに供給される。
【００２５】
電流制御アンプ１３３は、一方の入力には、電流検出器１２２の出力が接続されている。他方の入力には、基準電源１３４が接続されている。電流制御アンプ１３３は、電流検出器１２２から出力される検出電流Ｉｄｅｔと基準電源の値Ｉｒｅｆとの誤差を増幅して出力する。
【００２６】
ＰＷＭ回路１３２は、電流制御アンプ１３３の出力に応じて駆動信号を生成する。検出電流Ｉｄｅｔが基準電源の値Ｉｒｅｆよりも大きいときには、駆動信号のデューティ比は小さくなる。検出電流Ｉｄｅｔが基準電源の値Ｉｒｅｆよりも小さいときには、駆動信号のデューティ比は大きくなる。
【００２７】
低入力電圧検出回路１３５は、整流平滑回路２４の出力に接続されている。低入力電圧検出回路１３５は、電力変換部２０の入力電圧を監視する。低入力電圧検出回路１３５は、整流平滑回路２４の出力があらかじめ設定された入力電圧しきい値Ｖｉｓｔを超えたときに、低入力電圧検出信号を生成し安全回路４０に出力する。制御部３０は、起動時に期間Ｔｉｍｓｋを有しており、安全回路４０から停止信号ＨＬＴが入力されても、制御部３０の動作を停止しないようにする。
【００２８】
ＤＣ−ＤＣコンバータ２６は、たとえば降圧型チョッパである。スイッチング素子のデューティ比に応じて、ＤＣ−ＤＣコンバータ２６の出力電圧および出力電流が設定される。ＤＣ−ＣＤコンバータ２６は、ＰＷＭ回路１３２が出力する駆動信号のデューティ比に応じてスイッチング素子がスイッチングし、検出電流Ｉｄｅｔが基準電源の値Ｉｒｅｆに等しくなるように動作する。
【００２９】
ＰＷＭ回路１３２は、調光制御回路１３１が出力する調光ＰＷＭ信号に応じて、動作と非動作とを繰り返す。ＰＷＭ回路１３２が動作するときには、出力に電力が供給され、ＰＷＭ回路１３２が非動作のときには、出力に電力が供給されない。出力に供給される電力のデューティによって、照明ユニット２の点灯時の明るさが変化する。調光ＰＷＭ信号は、調光信号に応じて設定されるので、照明ユニット２は、調光信号に応じて調光される。
【００３０】
安全回路４０は、電圧検出器１２１の出力に接続されており、検出電圧Ｖｄｅｔが入力される。安全回路４０は、整流平滑回路２４を介して交流電源１に接続される。
【００３１】
安全回路４０の出力は、制御部３０に接続されている。安全回路４０の出力は、停止信号ＨＬＴを出力する。たとえば停止信号ＨＬＴがローレベルになった場合に、制御部３０は発振動作を停止し、停止状態を維持（ラッチ）する。つまり、点灯装置１０は、停止信号ＨＬＴによって停止され、停止状態がラッチされる。
【００３２】
安全回路４０は、低電圧検出部１４１と、過電圧検出部１４２と、マスク設定部１４３と、を含む。低電圧検出部１４１および過電圧検出部１４２の出力は、ＮＡＮＤ回路１４４に接続されている。ＮＡＮＤ回路１４４およびマスク設定部１４３の出力は、ＯＲ回路１４５にそれぞれ接続されている。
【００３３】
ＯＲ回路１４５は、制御部３０に停止信号ＨＬＴを送出する。ＯＲ回路１４５は、マスク設定部１４３の出力またはＮＡＮＤ回路１４４の出力のいずれかがハイレベルの場合に、ハイレベルを出力する。
【００３４】
低電圧検出部１４１は、検出電圧Ｖｄｅｔに関する低電圧しきい値（第１しきい値）Ｖｕｖを有する。低電圧検出部１４１は、電圧検出器１２１から出力される検出電圧Ｖｄｅｔを入力する。低電圧検出部１４１は、検出電圧Ｖｄｅｔと低電圧しきい値Ｖｕｖとを比較する。検出電圧Ｖｄｅｔが低電圧しきい値Ｖｕｖを下回った場合には、低電圧検出部１４１は、ハイレベルを出力する。
【００３５】
過電圧検出部１４２は、検出電圧Ｖｄｅｔに関する過電圧しきい値（第２しきい値）Ｖｏｖを有する。過電圧検出部１４２は、電圧検出器１２１から出力される検出電圧Ｖｄｅｔを入力する。過電圧検出部１４２は、検出電圧Ｖｄｅｔと過電圧しきい値Ｖｏｖとを比較する。検出電圧Ｖｄｅｔが過電圧しきい値Ｖｏｖを超えた場合には、過電圧検出部１４２は、ハイレベルを出力する。
【００３６】
マスク設定部１４３は、点灯装置１０の入力電圧を監視する。マスク設定部１４３は、たとえば整流平滑回路２４に接続され、整流平滑された直流入力電圧ＶｉＤＣを監視する。マスク設定部１４３は、入力電圧しきい値（第３しきい値）Ｖｉｓｔを有する。
【００３７】
マスク設定部１４３は、たとえば直流入力電圧ＶｉＤＣを入力して、入力電圧しきい値Ｖｉｓｔと比較する。マスク設定部１４３は、直流入力電圧ＶｉＤＣが入力電圧しきい値Ｖｉｓｔ以上となった場合にハイレベルを出力する。
【００３８】
マスク設定部１４３がハイレベルを出力する場合には、出力してから所定の期間Ｔｍｓｋを経過した後に、ローレベルを出力する。つまり、点灯装置１０の入力電圧が所定の値を超えた場合に、安全回路４０は、期間Ｔｍｓｋの間には、制御部３０に停止信号ＨＬＴを送出しないように動作する。
【００３９】
マスク設定部１４３は、低電圧や過電圧を検出しても、点灯装置１０の起動後、期間Ｔｍｓｋの間は、低電圧保護および過電圧保護を行わず、したがって、制御部３０は動作を継続する。期間Ｔｍｓｋは、制御部３０において設定されている期間Ｔｉｓｍｋと同一の期間である。つまり、期間Ｔｍｓｋ，Ｔｉｍｓｋは、同時に開始され、同時に終了する。
【００４０】
安全回路４０が送出する停止信号ＨＬＴは、あらかじめ設定されたパルス幅を有するローベルのワンショット信号である。制御部３０がラッチ回路を有しており、ローレベルのワンショット信号が入力された制御部３０は、発振動作を停止し、その状態がラッチされる。
【００４１】
安全回路４０は、たとえばマイクロコンピュータやマイクロコントローラ等の半導体装置であってもよい。マイクロコンピュータ等は、メモリ等の記憶装置（図示せず）に格納されたプログラムの各ステップにしたがって動作する。安全回路４０がマイクロコンピュータ等の場合には、安全回路４０の低電圧検出部１４１、過電圧検出部１４２およびマスク設定部１４３のそれぞれは、一部または全部がプログラムに含まれるステップの一部または全部として実行されてもよい。
【００４２】
実施形態の点灯装置の動作について説明する。
図２〜図４は、実施形態の点灯装置の動作を説明するためのタイミングチャートの例である。
図２の最上段の図は、直流入力電圧ＶｉＤＣの時間変化を示す図である。２段目の図は、制御部３０が有するＶｉｍｓｋの時間変化を示す図である。３段目の図は、マスク設定部１４３から出力される起動時マスク信号Ｖｍｓｋの時間変化を示す図である。４段目の図は、点灯装置１０の出力電圧Ｖｏの時間変化を示す図である。５段目の図は、低電圧検出部１４１から出力される低電圧検出信号Ｖｕｖｓの時間変化を示す図である。６段目の図は、過電圧検出部１４２から出力される過電圧検出信号Ｖｏｖｓの時間変化を示す図である。最下段の図は、停止信号ＨＬＴの時間変化を示す図である。
【００４３】
図２の例では、点灯装置１０に交流電源１を接続して、点灯装置１０を起動させる場合について示されている。そして、この例では、起動後に点灯装置１０の出力電圧が過電圧しきい値以上の電圧となる場合が示されている。
図２に示すように、時刻ｔ０において、直流入力電圧ＶｉＤＣが立ち上がる。時刻ｔ１において、直流入力電圧ＶｉＤＣは、入力電圧しきい値Ｖｉｓｔに達する。
【００４４】
マスク設定部１４３は、起動時マスク信号Ｖｍｓｋをハイレベルに反転させる。
【００４５】
所定の処理の後、時刻ｔ２において、制御部３０が発振動作を開始し、点灯装置１０の出力電圧Ｖｏが立ち上がる。
【００４６】
時刻ｔ１〜時刻ｔ３の間では、出力電圧Ｖｏが低電圧しきい値Ｖｕｖよりも低いので、低電圧検出部１４１は、ハイレベルの低電圧検出信号Ｖｕｖｓを出力している。
【００４７】
しかし、マスク設定部１４３が、ハイレベルの起動時マスク信号Ｖｍｓｋを出力しているので、安全回路４０は、ハイレベルの停止信号ＨＬＴを出力しており、制御部３０は、停止信号ＨＬＴによって停止しない。
【００４８】
時刻ｔ４において、出力電圧Ｖｏが過電圧しきい値Ｖｏｖ以上となる。そのため、過電圧検出部１４２は、ハイレベルの過電圧検出信号Ｖｏｖｓを出力する。
【００４９】
この期間においても、マスク設定部１４３は、ハイレベルの起動時マスク信号Ｖｍｓｋを出力しており、安全回路４０は、ハイレベルの停止信号ＨＬＴを出力する。
【００５０】
時刻ｔ５において、期間Ｔｍｓｋが経過する。そのため、マスク設定部１４３は、起動時マスク信号Ｖｍｓｋをローレベルに反転させる。
【００５１】
このときに、この例のように、点灯装置１０の出力電圧Ｖｏが過電圧検出レベルにある場合には、過電圧検出信号Ｖｏｖｓはハイレベルであり、安全回路４０から出力される停止信号ＨＬＴは、ローレベルに反転される。
【００５２】
時刻ｔ５において、ローレベルの停止信号ＨＬＴが制御部３０に送出されたことによって、制御部３０は発振動作を停止する。したがって、点灯装置１０は、停止状態となり、出力電圧Ｖｏが低下する。
【００５３】
なお、時刻ｔ６において、出力電圧Ｖｏは点灯装置１０の停止によって低下して、過電圧検出しきい値Ｖｏｖよりも低くなる。そのため、過電圧検出信号Ｖｏｖｓは、ローレベルに反転する。また、時刻ｔ７において、出力電圧Ｖｏが低電圧しきい値Ｖｕｖよりも低くなるので、低電圧検出信号Ｖｕｖｓもハイレベルになる。制御部３０は、ローレベルの停止信号ＨＬＴにより停止状態がラッチされているので、点灯装置１０の停止状態は維持されている。
【００５４】
図３の各段の図は、図２の各段の図に対応する。ただし、最下段に安全回路４０の電源電圧の時間変化の図が追加されている。
図３では、入力電源が短時間遮断される瞬時停電の場合の動作が示されている。瞬時停電では、この例のように、交流周期の１／２サイクル〜数サイクルにわたって、交流電源１の電圧値が低下する。低下する電圧は、たとえば０Ｖ（実効値）である。本実施形態の点灯装置１０では、低下する電圧が０Ｖとなる瞬時停電に限らず、規定の電圧よりも低くなる瞬時電圧低下の場合にも有効である。
【００５５】
図３に示すように、時刻ｔ１０において、瞬時停電によって直流入力電圧ＶｉＤＣが低下が始まる。直流入力電圧ＶｉＤＣがリセット電圧（第４しきい値）Ｖｒｓｔを下回ると、制御部３０で停止状態とされていた場合には、停止状態が解除される（時刻ｔ１１）。その後、直流入力電圧ＶｉＤＣは０Ｖとなる。
【００５６】
入力電圧の低下によって、点灯装置１０は停止し、の出力電圧Ｖｏが低下する。出力電圧Ｖｏは、時刻ｔ１２において、低電圧しきい値Ｖｕｖを下回る。低電圧検出部１４１は、低電圧検出信号Ｖｕｖｓをハイレベルに反転させる。このため、停止信号ＨＬＴもローレベルとなるが、制御部３０のラッチ回路は、リセット電圧Ｖｒｓｔによってリセット状態であり、ラッチ状態は解除されている。
【００５７】
入力電源が１／２サイクル（５ｍｓ程度）〜数サイクル（５０ｍｓ程度）の期間、電圧低下した後復帰し、直流入力電圧ＶｉＤＣが立ち上がる。
【００５８】
時刻ｔ１３において、直流入力電圧ＶｉＤＣが入力電圧しきい値Ｖｉｓｔ以上となるので、マスク設定部１４３は、起動時マスク信号Ｖｍｓｋをハイレベルに反転させる。
【００５９】
その後、点灯装置１０は起動し、時刻ｔ１４において、直流入力電圧ＶｉＤＣは、低電圧しきい値Ｖｕｖ以上になる。そのため、低電圧検出信号Ｖｕｖｓはローレベルに反転する。
【００６０】
出力電圧Ｖｏはさらに上昇し、時刻ｔ１５において、出力電圧Ｖｏが過電圧しきい値Ｖｏｖ以上となる。そのため、過電圧検出信号Ｖｏｖｓは、ハイレベルに反転する。
【００６１】
しかし、時刻ｔ１３〜時刻ｔ１５の期間では、起動時マスク信号Ｖｍｓｋがハイレベルであるので、安全回路４０は、ハイレベルの停止信号ＨＬＴを出力する。そのため、制御部３０は発振動作を継続する。
【００６２】
時刻ｔ１６，ｔ１７以降は、図２の場合と同様に、マスク設定部１４３によって出力されている起動時マスク信号Ｖｍｓｋがハイレベルであるため、安全回路４０は、期間Ｔｍｓｋが経過する時刻ｔ１６までローレベルの停止信号ＨＬＴを出力することができない。そのため、制御部３０は、発振動作を継続し、点灯装置１０も動作している。
【００６３】
時刻ｔ１６において、停止信号ＨＬＴがマスクされる期間Ｔｍｓｋが終了した後には、安全回路４０は、ローレベルに反転させた停止信号ＨＬＴを出力する。制御部３０は、ローベルの停止信号ＨＬＴによって、発振動作を停止し、点灯装置１０は停止する。
【００６４】
図４では、図３の場合と同様の波形が示されている。図４の状況においては、安全回路４０の電源電圧が瞬時電圧低下によって、十分低下せず、安全回路４０が定常的な動作を続けている。
【００６５】
この例では、安全回路４０の電源電圧が低下しないので、安全回路４０は、起動時マスク信号Ｖｍｓｋを出力しない。一方、制御部３０は、低入力電圧検出回路１３５によって、入力電圧を低下を検出し、低入力電圧検出信号を出力するとともに、電源電圧低下により起動シーケンスがスタートしＶｉｓｍｋがハイレベルとなるマスク期間を開始する。
【００６６】
そのため、安全回路４０は、時刻ｔ１４において停止信号ＨＬＴをローレベルに反転させる。しかし、制御部３０は、起動シーケンスに入っておりＴｉｍｓｋの期間内であるため、動作を継続することができる。
【００６７】
さらに、停止信号ＨＬＴは、一定期間ローレベルとなった後にハイレベルに反転するので、それ以降で過電圧検出や低電圧検出を行うことができる。
【００６８】
この例では、瞬時電圧低下の程度やタイミング等によって、安全回路４０において、入力電圧の低下や再起動を検出することができなくても、制御部３０において、低入力電圧状態を検出することができる。
【００６９】
本実施形態の点灯装置１０の作用および効果について説明する。
【００７０】
従来、点灯装置の出力電圧が低電圧の状態になった場合には、過負荷状態等であると考え、点灯装置は、点灯装置を保護するために出力電圧の低電圧保護機能を内蔵している。ここで、点灯装置の起動時に低電圧保護機能が動作しないように、起動後の一定期間では、低電圧保護機能を動作させないようにマスク期間が設けられている。
【００７１】
点灯装置は、無負荷時や照明ユニットの脱落、負荷のオープン故障等の際には出力は過電圧状態となる。過電圧発生から点灯装置を保護するため、点灯装置は、過電圧保護機能を内蔵している。過電圧保護機能は、通常の点灯装置の起動状態においては、動作する必要がないので、点灯装置の起動時の動作については、何ら制限されていない。つまり、起動時に過電圧を検出すると、過電圧保護機能によって点灯装置の動作が停止する。
【００７２】
点灯装置の動作環境では、瞬時停電や、入力電源の瞬時電圧低下を生じることがある。このような場合に、照明ユニットの脱落等があると、過電圧保護機能が動作して点灯装置は停止する。過電圧保護機能や低電圧保護機能は、照明ユニット等の外部部材や部品等に起因する不具合を防止する観点から、動作停止後、電源再投入によって、停止状態が解除される。
【００７３】
瞬時停電等によって照明が消灯し、そのたびに再起動を要するとしては、利便性に支障をきたす場合がある。したがって、入力電源の瞬時停電等によって、照明が消灯した場合であっても、停電復帰後は、電源再投入によらず再点灯することが求められる。
【００７４】
本実施形態の点灯装置１０は、制御部３０に低入力電圧検出回路１３５を含み、安全回路４０の起動時マスク信号Ｖｍｓｋと同時にスタートし、同一の期間を有するＶｉｍｓｋを有している。瞬時低電圧のような入力電圧が低下し、復帰するような場合であっても、入力電源が投入されてから所定の期間Ｔｍｓｋ，Ｔｉｍｓｋの間は、出力電圧Ｖｏの過電圧検出および低電圧検出を行わないようにすることができる。そして、停止信号ＨＬＴがローレベルであっても、所定の期間内にハイレベルに復帰するので、過電圧保護や低電圧保護を正常に行うことができる。したがって、安全な点灯装置が提供される。
【００７５】
以上説明した実施形態によれば、保護機能の誤動作を回避しつつ確実に保護機能を発揮することができる点灯装置を実現することができる。
【００７６】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００７７】
１  交流電源、２  照明ユニット、２ａ  発光素子、１０  点灯装置、２０  電力変換部、２２  突入電流防止回路、２４  整流平滑回路、２６  ＤＣ−ＤＣコンバータ、３０  制御部、４０  安全回路、１３１  調光制御回路、１３２  ＰＷＭ回路、１３３  電流制御アンプ、１３４  基準電源、１４１  低電圧検出部、１４２  過電圧検出部、１４３  マスク設定部、１４４  ＮＡＮＤ回路、１４５  ＯＲ回路
【図１】
2018055854.tif 000003
【図２】
2018055854.tif 000004
【図３】
2018055854.tif 000005
【図４】
2018055854.tif 000006